(57)【要約】【課題】本考案の主要目的は、ハイパワー発光ダイオードの街灯において快速散熱効果を達成することにある。【解決手段】ハイパワー発光ダイオードを使用する街灯の散熱構造であって、主として街灯の上蓋外周に一体成型したアルミ合金散熱ヒダを形成し、上蓋下方内部のハイパワー発光ダイオードから生じる熱エネルギーを高分子金メッキ基板及びアルミ合金散熱ヒダによって外部へ拡散させ、快速に熱エネルギーを発散させる効果を達成する。【選択図】図１Ａ
0003127938.tif 000002
【実用新案登録請求の範囲】
【請求項１】
ハイパワー発光ダイオードを使用する街灯の散熱構造であって、
上蓋と、下蓋と、高分子金メッキ基板と、を含み、
前記上蓋には、正面前端外表面に設置した蝶番と、正面後端の外表面に設置した後方街灯柱の固定穴と、内表面辺縁に設置した上蓋内側辺縁凹溝と、を含み、前記内側辺縁凹溝には上蓋シリカゲルを装着でき、且つ上方外表面にアルミ合金散熱ヒダを設置してあり、
前記下蓋は、正面前端外表面に設置した蝶番と、正面下方後端の外表面に設置した下方街灯柱の固定穴と、内表面辺縁に設置した下蓋内側辺縁凹溝と、を含み、前記内側辺縁凹溝には下蓋シリカゲルを装着でき、
前記高分子金メッキ基板は、上蓋内側に設置され、導熱性のよい銅材質を有するプリント基板であり、ハイパワー発光ダイオードを固定するためのものであることを特徴とする、
ハイパワー発光ダイオードを使用する街灯の散熱構造。
【請求項２】
前記上蓋の後方街灯柱と下蓋の下方街灯柱の固定穴は、使用しない時、上蓋と下蓋の栓によって塞ぐことのできることを特徴とする、請求項１に記載のハイパワー発光ダイオードを使用する街灯の散熱構造。
【請求項３】
前記高分子金メッキ基板の表面にはハイパワー発光ダイオードを溶接できることを特徴とする、請求項１に記載のハイパワー発光ダイオードを使用する街灯の散熱構造。
【考案の詳細な説明】
【技術分野】
【０００１】
本考案は、ハイパワー発光ダイオードを使用する街灯の散熱構造、特に街灯の散熱構造に対して行う改良に関するものである。
【背景技術】
【０００２】
一般の街灯は、電球を主体としている、しかし電球の欠点は電力の消耗及び寿命が短いことである、ある期間使用すると電気料金がかなり嵩張る。ハイパワー発光ダイオードとは、0.5ワットから３ワットの電流を与えても正常に発光できる発光ダイオード製品を指し、この種の発光ダイオード製品は、現在大半が発光ダイオード懐中電灯・ハイパワー発光ダイオード・ヘッドライトに応用されている、しかし液晶スクリーンのバックライト光源としては、発光効率の面でまだ改善の余地がある、従って川上の結晶粒子工場又は川下のパッケージ工場のいずれにおいても、出荷量は多くなく、一部はまだ実験研究の段階にある。
【０００３】
ここ十年近くの発展を経て、ハイパワー発光ダイオードは住・行・育・楽方面の応用において次第に欠かせない役割を果たして来ている。材料の特性及びパッケージ技術の制限のため、発光ダイオードはその明るさ及び使用寿命の面でまだ一般照明ランプの規格に達していない。
【０００４】
その中で特に重要な原因は、発光ダイオードのパッケージ体が発光する時、熱エネルギーが発生する、そのため散熱設計が拙いと、高温で発光ダイオードの結晶体自体の明るさや寿命の落ち込み、波長ドリフトなどを招く。しかも現在のハイパワー発光ダイオード街灯の散熱設計不良によって街灯が高温状態にあるとき街灯の損壊速度を加速させている。
【０００５】
このように、上述従来の方式には尚幾多の欠点があり、良い設計とは言い難く、改良が待たれている。
【０００６】
本案考案者は、上述従来方式に派生する各項の欠点に鑑み、極力新規改善を試み、且つ長年苦心研鑽の末、ついに本案に係るハイパワー発光ダイオードを使用する街灯の散熱構造の研究開発に成功した。
【考案の開示】
【考案が解決しようとする課題】
【０００７】
本考案の主要目的は、ハイパワー発光ダイオードの街灯において快速散熱効果を達成することにある。
【課題を解決するための手段】
【０００８】
上述考案の目的を達成できるハイパワー発光ダイオードを使用する街灯の散熱構造は、街灯の上蓋外周をアルミ合金散熱ヒダによって一体成型し、上蓋下方のハイパワー発光ダイオードから発生する熱エネルギーを高分子金メッキした基板及びアルミ合金散熱ヒダによって外部へ拡散させ、熱エネルギーを快速発散させる効果を達成する。更に使用する発光ダイオードのパワーに基づいて、高分子金メッキ基板の面積大小及び形状を調整することができる。又、上蓋シリカゲルと下蓋シリカゲルを設計して上下蓋の中に入れて浸水を防ぎ、更に蝶番を設けて上蓋及び下蓋を開閉できるようにし、内部部品の交換やメンテナンスを行う。一方、街灯柱は後方の街灯柱固定穴又は下方の街灯柱固定穴から手入れすることができ、使用しない時は、上蓋の栓や下蓋の栓によって固定穴を塞ぎ、一層実用的にすることができる。
【０００９】
すなわち、本考案の第１考案は、ハイパワー発光ダイオードを使用する街灯の散熱構造であって、上蓋と、下蓋と、高分子金メッキ基板と、を含み、前記上蓋には、正面前端外表面に設置した蝶番と、正面後端の外表面に設置した後方街灯柱の固定穴と、内表面辺縁に設置した上蓋内側辺縁凹溝と、を含み、前記内側辺縁凹溝には上蓋シリカゲルを装着でき、且つ上方外表面にアルミ合金散熱ヒダを設置してあり、前記下蓋は、正面前端外表面に設置した蝶番と、正面下方後端の外表面に設置した下方街灯柱の固定穴と、内表面辺縁に設置した下蓋内側辺縁凹溝と、を含み、前記内側辺縁凹溝には下蓋シリカゲルを装着でき、前記高分子金メッキ基板は、上蓋内側に設置され、導熱性のよい銅材質を有するプリント基板であり、ハイパワー発光ダイオードを固定するためのものであることを特徴とする、ハイパワー発光ダイオードを使用する街灯の散熱構造であることを要旨としている。
【００１０】
また、本考案の第２考案は、前記上蓋の後方街灯柱と下蓋の下方街灯柱の固定穴は、使用しない時、上蓋と下蓋の栓によって塞ぐことのできることを特徴とする、請求項１に記載のハイパワー発光ダイオードを使用する街灯の散熱構造であることを要旨としている。
【００１１】
また、本考案の第３考案は、前記高分子金メッキ基板の表面にはハイパワー発光ダイオードを溶接できることを特徴とする、請求項１に記載のハイパワー発光ダイオードを使用する街灯の散熱構造であることを要旨としている。
【考案の効果】
【００１２】
本考案は、散熱構造を提供し、ハイパワー発光ダイオードの街灯に快速散熱効果をもたらすことができる。
【考案を実施するための最良の形態】
【００１３】
先ず図１Ａを参照して、本考案は、ハイパワー発光ダイオードを使用する街灯の散熱構造であって、上蓋１と、下蓋２と、高分子金メッキ基板５とによって構成される。前記上蓋１及び下蓋２には蝶番１３を有し、前記蝶番１３は上蓋１の正面前端外表面又は正面後端内表面に設置され、開く時上蓋１及び下蓋２が分離しないようにしてある。
【００１４】
なお、図４に示すように、前記上蓋１及び下蓋２は、長方形の構造であっても良い。本考案は、更に後方街灯柱固定穴１１及び下方街灯柱固定穴２１を含み、前記後方街灯柱固定穴１１は、上蓋１の正面後端外表面に設置され、前記下方街灯柱固定穴２１は、下蓋２の正面下端外表面に設置され、街灯柱を固定することができる。その外観構造は、円形構造又はその他任意の形状構造であっても良い。
【００１５】
図２Ａに示すように、使用しないときは、上蓋の栓１６及び下蓋の栓２６で塞ぐことによって防水の効果を達成することができる。別途ランプカバー３が下蓋２の外表面に設置してある。
【００１６】
また、図１Ａに示すように、前記上蓋１及び下蓋２には、更に上蓋内側辺縁凹溝１７及び下蓋内側辺縁凹溝２７があり、前記上蓋内側辺縁凹溝１７は上蓋１の内表面辺縁に設置され、上蓋シリカゲル１５をその中に装着し、前記下蓋内側辺縁凹溝２７は下蓋２の内表面辺縁に設置され、下蓋シリカゲル２５をその中に装着することによって、防水効果を達成することができる。更に複数のハイパワー発光ダイオード４が高分子金メッキ基板５の表面に固定されている。
【００１７】
また、図１Ａ及び図１Ｂに示すように、前記高分子金メッキ基板５は長方形又は円形であってもよく、前記高分子金メッキ基板５は、ネジ１８によって上蓋１の内表面に固定され、ハイパワー発光ダイオード４から生じる熱エネルギーを前記高分子金メッキ基板５によってアルミ合金散熱ヒダ１２へ伝導し、外部へ拡散させることができる。
【００１８】
図３に示すように、上蓋１の外表面に複数の一体成型されたアルミ合金散熱ヒダ１２を設置し、その散熱構造によって熱エネルギーを外へ拡散し、快速に熱を発散させる効果を達成することができる。
【００１９】
以上を総合すると、本考案は、ハイパワー発光ダイオードを使用する街灯の散熱構造であって、快速に熱エネルギーを発散させる効果の目的を実現し、且つ固定しやすく一層実用的であり、実用新案登録請求の要件に合致するものとして、ここに法に従って申請する次第である。
【００２０】
以上は、本考案の詳細な実施例の説明であるが、本考案の実施範囲を制限するものではなく、当業者なら、各種の実施例に対して等価変更を行うことが可能であるが、それらはすべて本考案の技術精神及び範囲内に含まれるものとする。
【図面の簡単な説明】
【００２１】
【図１Ａ】本考案の斜視展開図である。
【図１Ｂ】本考案の別の実施例の斜視展開図である。
【図２Ａ】本考案の側面図である。
【図２Ｂ】本考案の別の実施例の側面図である。
【図３】本考案の斜視外観図である。
【図４】本考案の別の実施例の斜視外観図である。
【符号の説明】
【００２２】
１            上蓋
１１          後方街灯柱の固定穴
１２          アルミ合金散熱ヒダ
１３          蝶番
１５          上蓋シリカゲル              
１６          上蓋の栓
１７          上蓋内側辺縁の凹溝
１８          ネジ
２            下蓋
２１          下蓋シリカゲル
２６          下蓋の栓
２５          下方街灯柱の固定穴
２７          下蓋内側辺縁の凹溝
３            ランプカバー
４            ハイパワー発光ダイオード
５            高分子金メッキ基板
【図１Ａ】
0003127938.tif 000003
【図１Ｂ】
0003127938.tif 000004
【図２Ａ】
0003127938.tif 000005
【図２Ｂ】
0003127938.tif 000006
【図３】
0003127938.tif 000007
【図４】
0003127938.tif 000008
【手続補正書】
【提出日】平成18年10月13日(2006.10.13)
【手続補正１】
【補正対象書類名】実用新案登録請求の範囲
【補正対象項目名】請求項１
【補正方法】変更
【補正の内容】
【請求項１】
ハイパワー発光ダイオードを使用する街灯の散熱構造であって、
上蓋と、下蓋と、高分子金メッキ基板と、を含み、
前記上蓋には、正面前端外表面に設置した蝶番と、正面後端の外表面に設置した後方街灯柱の固定穴と、内表面辺縁に設置した上蓋内側辺縁凹溝と、を含み、前記上蓋内側辺縁凹溝には上蓋シリカゲルを装着でき、且つ上方外表面にアルミ合金散熱ヒダを設置してあり、
前記下蓋は、正面前端外表面に設置した蝶番と、正面下方後端の外表面に設置した下方街灯柱の固定穴と、内表面辺縁に設置した下蓋内側辺縁凹溝と、を含み、前記下蓋内側辺縁凹溝には下蓋シリカゲルを装着でき、
前記高分子金メッキ基板は、上蓋内側に設置され、導熱性のよい銅材質を有するプリント基板であり、ハイパワー発光ダイオードを固定するためのものであることを特徴とする、
ハイパワー発光ダイオードを使用する街灯の散熱構造。
【手続補正２】
【補正対象書類名】明細書
【補正対象項目名】０００９
【補正方法】変更
【補正の内容】
【０００９】
すなわち、本考案の第１考案は、ハイパワー発光ダイオードを使用する街灯の散熱構造であって、上蓋と、下蓋と、高分子金メッキ基板と、を含み、前記上蓋には、正面前端外表面に設置した蝶番と、正面後端の外表面に設置した後方街灯柱の固定穴と、内表面辺縁に設置した上蓋内側辺縁凹溝と、を含み、前記上蓋内側辺縁凹溝には上蓋シリカゲルを装着でき、且つ上方外表面にアルミ合金散熱ヒダを設置してあり、前記下蓋は、正面前端外表面に設置した蝶番と、正面下方後端の外表面に設置した下方街灯柱の固定穴と、内表面辺縁に設置した下蓋内側辺縁凹溝と、を含み、前記下蓋内側辺縁凹溝には下蓋シリカゲルを装着でき、前記高分子金メッキ基板は、上蓋内側に設置され、導熱性のよい銅材質を有するプリント基板であり、ハイパワー発光ダイオードを固定するためのものであることを特徴とする、ハイパワー発光ダイオードを使用する街灯の散熱構造であることを要旨としている。